(57)【要約】      （修正有）【課題】押えリングの組立て精度を確保し、レンズモジュールの良品率を向上させる。【解決手段】本発明のレンズモジュールは、鏡筒と、レンズと、像側からレンズを当接保持する押えリングとを備え、押えリングは、物体側に近い上面と、下面と、内接続面と、鏡筒に当接する外接続面１３４とを含み、上面には、物体側に向かって延びる突起部１４が設けられ、突起部１４は、天面１４１と、天面１４１の光軸に近い縁から光軸に近い方向に像側に向かって延びる第１側面１４２と、天面１４１の光軸から離れた縁から光軸から離れた方向に像側に向かって延びる第２側面１４３とを含み、上面は、第２側面１４３の光軸から離れた縁から光軸から離れた方向に向かって延びる第１表面１３１１を含み、第１表面１３１１と第２側面１２２２ａはいずれもレンズ上に当接保持され、天面１４１はレンズと間隔をあけて設置されている。【選択図】図２
2020086446.tif 000002
【特許請求の範囲】
【請求項１】
鏡筒と、前記鏡筒内に収容されかつ光軸を有するレンズと、像側から前記レンズを当接保持する押えリングとを備えるレンズモジュールであって、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記上面には、物体側に向かって延びる突起部が設けられ、前記突起部は、天面と、前記天面の前記光軸に近い縁から前記光軸に近い方向に像側に向かって延びる第１側面と、前記天面の前記光軸から離れた縁から前記光軸から離れた方向に像側に向かって延びる第２側面とを含み、前記上面は、前記第２側面の光軸から離れた縁から前記光軸から離れた方向に向かって延びる第１表面を含み、前記第１表面と前記第２側面はいずれも前記レンズ上に当接保持され、前記天面は前記レンズと間隔をあけて設置されていることを特徴とするレンズモジュール。
【請求項２】
前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記鏡筒は、前記周縁面に当接する第１当接面と、前記外接続面に当接する第２当接面と、前記第１当接面と前記第２当接面を接続する延出面とを含み、前記延出面は前記第１当接面から前記光軸から離れた方向に向かって延び、前記像側面は、前記周縁面の縁から前記光軸に近い方向に向かって延びる第２表面と、前記第２表面の前記周縁面から離れた縁から前記光軸に近い方向に物体側に向かって延びる第３表面と、前記第３表面の物体側に近い縁から前記光軸に近い方向に向かって延びる第４表面とを含み、前記第１表面は前記第２表面上に当接保持され、前記第２側面は前記第３表面上に当接保持され、前記天面は前記第４表面と間隔をあけて設置されていることを特徴とする請求項１に記載のレンズモジュール。
【請求項３】
前記天面と前記第４表面はいずれも前記光軸に垂直であり、前記第４表面の前記第３表面から離れた一端は前記光学部に接続されており、前記第１側面は前記レンズと間隔をあけて設置されていることを特徴とする請求項２に記載のレンズモジュール。
【請求項４】
前記押えリングと前記レンズとの間に第１遮光シートが設置されており、前記天面は像側から前記第１遮光シートを当接保持し、前記第４表面は物体側から前記第１遮光シートを当接保持することを特徴とする請求項２に記載のレンズモジュール。
【請求項５】
前記押えリングの材質はプラスチックであり、前記上面は前記外接続面に滑らかに過渡的に接続されていることを特徴とする請求項１に記載のレンズモジュール。
【請求項６】
前記レンズの物体側に設置された遮光板をさらに備えることを特徴とする請求項１に記載のレンズモジュール。
【請求項７】
前記レンズと前記遮光板の間に第２遮光シートが設置されていることを特徴とする請求項６に記載のレンズモジュール。
【請求項８】
前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持されることを特徴とする請求項６に記載のレンズモジュール。
【発明の詳細な説明】
【技術分野】
【０００１】
本発明の実施例は、光学結像技術の分野に関し、特に、レンズモジュールに関する。
【背景技術】
【０００２】
科学技術の絶え間ない発展に伴い、電子機器は絶え間なくスマート化へ発展しつつある。ユーザが随時写真を撮ることができるという需要を満たすように、デジタルカメラの以外、タブレットＰＣ、携帯電話等の携帯型の電子機器にも撮影機能を有するレンズモジュールが配置されている。関連技術のレンズモジュールは、鏡筒と、鏡筒内に収容されたレンズと、像側からレンズを当接保持することによりレンズを固定する押えリングとを備え、押えリングの外径は鏡筒の内径と合わせる。
【０００３】
本発明者は従来技術に少なくとも以下の問題が存在することを発見した：押えリングの外径にバリが存在するため、真円度が悪く、押えリングを組み立てる過程において振れが生じやすくなり、押えリングの組み立て精度が低く、レンズモジュールの良品率が低下してしまう。
【発明の概要】
【発明が解決しようとする課題】
【０００４】
本発明の実施形態は、押えリングの組み立て精度を確保するとともに、レンズモジュールの良品率を向上させることができるレンズモジュールを提供することを目的とする。
【課題を解決するための手段】
【０００５】
上記の技術的問題を解決するために、本発明の実施形態には、鏡筒と、前記鏡筒内に収容されかつ光軸を有するレンズと、像側から前記レンズを当接保持する押えリングとを備え、前記押えリングは、物体側に近い上面と、前記上面に対向して設置された下面と、前記上面と前記下面を接続する内接続面と、前記内接続面に対向する外接続面とを含み、前記外接続面が前記鏡筒に当接し、前記上面には、物体側に向かって延びる突起部が設けられ、前記突起部は、天面と、前記天面の前記光軸に近い縁から前記光軸に近い方向に像側に向かって延びる第１側面と、前記天面の前記光軸から離れた縁から前記光軸から離れた方向に像側に向かって延びる第２側面とを含み、前記上面は、前記第２側面の光軸から離れた縁から前記光軸から離れた方向に向かって延びる第１表面を含み、前記第１表面と前記第２側面はいずれも前記レンズ上に当接保持され、前記天面は前記レンズと間隔をあけて設置されているレンズモジュールが提供される。
【０００６】
従来技術に対して、本発明の実施方式は、前記第１表面と前記第２側面はいずれも前記レンズ上に当接保持されるため、前記レンズの前記押えリングに対する作用力には、前記光軸に垂直でかつ前記光軸に向かった分量が存在し、即ち係合構造が形成され、それによって押えリングはその外径により鏡筒と合わせる必要がなく、押えリングの外径にバリが存在することにより押えリングの組み立てに振れが生じてしまう問題を回避し、押えリングの組み立て精度を確保し、レンズモジュールの良品率を向上させる。また、第２側面が前記天面の前記光軸から離れた縁から前記光軸から離れた方向に像側に向かって延びるため、押えリングが鏡筒に組み付けられる過程において、第２側面は案内の機能も果たせ、押えリングの組み立て精度及びレンズモジュールの良品率をさらに向上させるとともに、レンズの縁の厚さを増加させ、レンズのゲートを大きくすることができ、レンズの成形に有利である。
【０００７】
また、前記レンズは、光学部と、前記光学部を取り囲んで設置された承接部とを備え、前記承接部は、物体側に近い物体側面と、前記物体側面に対向して設置された像側面と、前記物体側面と前記像側面を接続する周縁面とを含み、前記鏡筒は、前記周縁面に当接する第１当接面と、前記外接続面に当接する第２当接面と、前記第１当接面と前記第２当接面を接続する延出面とを含み、前記延出面は前記第１当接面から前記光軸から離れた方向に向かって延び、前記像側面は、前記周縁面の縁から前記光軸に近い方向に向かって延びる第２表面と、前記第２表面の前記周縁面から離れた縁から前記光軸に近い方向に物体側に向かって延びる第３表面と、前記第３表面の物体側に近い縁から前記光軸に近い方向に向かって延びる第４表面とを含み、前記第１表面は前記第２表面上に当接保持され、前記第２側面は前記第３表面上に当接保持され、前記天面は前記第４表面と間隔をあけて設置されている。
【０００８】
また、前記天面と前記第４表面はいずれも前記光軸に垂直であり、前記第４表面の前記第３表面から離れた一端は前記光学部に接続されており、前記第１側面は前記レンズと間隔をあけて設置されている。
【０００９】
また、前記押えリングと前記レンズとの間に第１遮光シートが設置されており、前記天面は像側から前記第１遮光シートを当接保持し、前記第４表面は物体側から前記第１遮光シートを当接保持する。このように設置することで、迷光が鏡筒に入ることをより良好に防止でき、レンズモジュールの結像品質を向上させる。
【００１０】
また、前記押えリングの材質はプラスチックであり、前記上面は前記外接続面に滑らかに過渡的に接続されている。
【００１１】
また、前記レンズの物体側に設置された遮光板をさらに備える。このように設置することで、前記鏡筒に入る迷光を低減することにより、前記鏡筒の結像品質を向上させることができる。
【００１２】
また、前記レンズと前記遮光板の間に第２遮光シートが設置されている。
【００１３】
また、前記遮光板の物体側に設置されたレンズ群をさらに備え、前記レンズ群は、物体側から像側に向かって順次に積層設置された少なくとも５つのレンズを含み、前記レンズ群は像側から前記鏡筒上に当接保持される。
【図面の簡単な説明】
【００１４】
１つまたは複数の実施例をそれらに対応する図面によって例示的に説明する。これら例示的な説明は実施例に対する限定ではない。図面における符号が同様な要素は類似な要素として示されており、特別な声明がない限り、図面は比例上の限定とはならない。
【図１】本発明の第１実施形態によって提供されたレンズモジュールの断面構成模式図である。
【図２】図１におけるＡ部の部分拡大図である。
【発明を実施するための形態】
【００１５】
本発明の実施例の目的、技術案及び利点をより明確にするために、以下、図面を参照しながら本発明の各実施形態を詳細に説明する。しかしながら、当業者が理解できるように、本発明の各実施形態では、読者に本発明をよりよく理解させるために多数の技術的詳細が提出されている。ただし、これらの技術的詳細及び以下の各実施形態に基づく種々の変更と修正がなくても、本発明が保護を求めようとする技術案を実現することができる。 
【００１６】
本発明の第１実施形態は、図１〜図２に示されるように、鏡筒１１と、鏡筒１１内に収容されかつ光軸ＯＯ′を有するレンズ１２と、像側からレンズ１２を当接保持する押えリング１３とを備え、押えリング１３は、物体側に近い上面１３１と、上面１３１に対向して設置された下面１３２と、上面１３１と下面１３２を接続する内接続面１３３と、内接続面１３３に対向する外接続面１３４とを含み、外接続面１３４が鏡筒１１に当接し、上面１３１には、物体側に向かって延びる突起部１４が設けられ、突起部１４は、天面１４１と、天面１４１の光軸ＯＯ′に近い縁から光軸ＯＯ′に近い方向に像側に向かって延びる第１側面１４２と、天面１４１の光軸ＯＯ′から離れた縁から光軸ＯＯ′から離れた方向に像側に向かって延びる第２側面１４３とを含み、上面１３１は、第２側面１４３の光軸ＯＯ′から離れた縁から光軸ＯＯ′から離れた方向に向かって延びる第１表面１３１１を含み、第１表面１３１１と第２側面１４３はいずれもレンズ１２上に当接保持され、天面１４１はレンズ１２と間隔をあけて設置されているレンズモジュール１００に関する。
【００１７】
従来技術に対して、本発明の実施方式は、第１表面１３１１と第２側面１４３はいずれもレンズ１２上に当接保持されるため、レンズ１２の押えリング１３に対する作用力には、光軸ＯＯ′に垂直でかつ光軸ＯＯ′に向かった分量が存在し、即ち係合構造が形成され、それによって押えリング１３はその外径により鏡筒１１と合わせる必要がなく、押えリング１３の外径にバリが存在することにより押えリング１３の組み立てに振れが生じてしまう問題を回避し、押えリング１３の組み立て精度を確保し、レンズモジュール１００の良品率を向上させる。また、第２側面１４３が天面１４１の光軸ＯＯ′から離れた縁から光軸ＯＯ′から離れた方向に像側に向かって延びるため、押えリング１３が鏡筒１１に組み付けられる過程において、第２側面１４３は案内の機能も果たせ、押えリング１３の組み立て精度及びレンズモジュール１００の良品率をさらに向上させるとともに、レンズ１２の縁の厚さを増加させ、レンズ１２のゲートを大きくすることができ、レンズ１２の成形に有利である。
【００１８】
本実施形態では、押えリング１３の材質はプラスチックであり、上面１３１は外接続面１３４に滑らかに過渡的に接続されている。プラスチックレンズ１２は軽量で、加工されやすく、輸送が便利であり、破裂しにくく、かつ破摧された破片が少なくて比較的に鋭くないため安全性が高い。プラスチックレンズ１２の防曇性が強く、レンズモジュール１００の結像品質を向上させる。プラスチックレンズ１２はへこみを防止することができ、一般的に高熱でかつ体積が小さい物質はガラスレンズにへこみとスポットを生じさせやすくなるが、プラスチックレンズ１２の場合、自動的に弾かれ、レンズ１２の表面に何の跡形も残せず、それによってレンズモジュール１００の使用寿命を向上させる。
【００１９】
具体的には、レンズ１２は、光学部１２１と、光学部１２１を取り囲んで設置された承接部１２２とを備え、承接部１２２は、物体側に近い物体側面１２２１と、物体側面１２２１に対向して設置された像側面１２２２と、物体側面１２２１と像側面１２２２を接続する周縁面１２２３とを含み、鏡筒１１は、周縁面１２２３に当接する第１当接面１１１と、外接続面１３４に当接する第２当接面１１２と、第１当接面１１１と第２当接面を接続する延出面１１３とを含み、延出面１１３は第１当接面１１１から光軸ＯＯ′から離れた方向に向かって延び、像側面１２２２は、周縁面１２２３の縁から光軸ＯＯ′に近い方向に向かって延びる第２表面１２２２ａと、第２表面１２２２ａの周縁面１２２３から離れた縁から光軸ＯＯ′に近い方向に物体側に向かって延びる第３表面１２２２ｂと、第３表面１２２２ｂの物体側に近い縁から光軸ＯＯ′に近い方向に向かって延びる第４表面１２２２ｃとを含み、第１表面１３１１は第２表面１２２２ａ上に当接保持され、第２側面１４３は第３表面１２２２ｂ上に当接保持され、天面１４１は第４表面１２２２ｃと間隔をあけて設置されている。
【００２０】
選択できるように、天面１４１と第４表面１２２２ｃはいずれも光軸ＯＯ′に垂直であり、第４表面１２２２ｃの第３表面１２２２ｂから離れた一端は光学部１２１に接続されており、第１側面１４２はレンズ１２と間隔をあけて設置されている。
【００２１】
押えリング１３とレンズ１２との間に第１遮光シート１５が設置されており、天面１４１は像側から第１遮光シート１５を当接保持し、第４表面１２２２ｃは物体側から第１遮光シート１５を当接保持する。このように設置することで、迷光が鏡筒１１に入ることをより良好に防止でき、レンズモジュール１００の結像品質を向上させる。
【００２２】
本実施形態では、レンズモジュール１００は、レンズ１２の物体側に設置された遮光板１６をさらに備え、このように設置することで、鏡筒１１に入る迷光を低減することにより、鏡筒１１の結像品質を向上させることができる。選択できるように、レンズ１２と遮光板１６の間に第２遮光シート１７が設置されることで、迷光をさらに放出し、レンズモジュール１００の結像品質を向上させる。
【００２３】
具体的には、レンズモジュール１００は、遮光板１６の物体側に設置されたレンズ群１８をさらに備え、レンズ群１８は、物体側から像側に向かって順次に積層設置された少なくとも５つのレンズを含み、レンズ群１８は像側から鏡筒１１上に当接保持される。また、各レンズの間には遮光シートが設置されてもよい。
【００２４】
当業者が理解できるように、上記の各実施形態は、本発明を実現するための具体的な実施例であり、実際の適用において、本発明の主旨及び範囲を逸脱することなく、形式上及び細部上でそれらに対して種々の変更を行うことができる。
【図１】
2020086446.tif 000003
【図２】
2020086446.tif 000004